(57)【特許請求の範囲】
【請求項１】
下層床と折返し床の間の下方空間及び折返し床と上層床との間の上方空間のいずれか一方に配される階段本体と、
前記階段本体を回動させて前記下方空間と前記上方空間との間で移動させるための回動軸とを備え、
前記階段本体は、前記下方空間に配される状態と前記上方空間に配される状態とにおいて、平面視において同一箇所に配されることを特徴とする、階段装置。
【請求項２】
前記階段本体は、前記下方空間に配される状態と前記上方空間に配される状態とにおいて、上下反転して配されることを特徴とする、請求項１に記載の階段装置。
【請求項３】
前記階段本体の階段部分は、垂直方向に延びる蹴上部と、前記蹴上部を被覆して前記蹴上部の両側に水平方向に延びる踏板部とを有することを特徴とする、請求項２に記載の階段装置。
【請求項４】
前記階段本体に係合して、前記階段本体の回動を係止する支持部材を備え、
前記階段本体は、前記支持部材が嵌入される溝部を備え、
前記支持部材は、前記階段本体の回動経路の外の軸を中心に移動して、前記階段本体の回動を係止しない非干渉状態と、一部が前記階段本体の回動経路の内に入り前記溝部に挿入されて前記階段本体の回動を係止する干渉状態とを有することを特徴とする、請求項１〜３のいずれか１項に記載の階段装置。
【請求項５】
前記階段本体は、使用者が前記回動軸を中心に前記階段本体を移動させるための握り棒を備えることを特徴とする、請求項１〜４のいずれか１項に記載の階段装置。
【発明の詳細な説明】
【技術分野】
【０００１】
本発明は、階段として機能する階段装置に関する。
【背景技術】
【０００２】
住宅に階段を設ける際に、階段用のスペースが不十分なことがある。特に、直線状の直階段を設ける長さが不足することが多い。従来、折返し階段（例えば、特許文献１参照）や螺旋階段（例えば、特許文献２参照）によって、直階段を設ける長さの不足に対応していた。
【０００３】
しかし、折返し階段や螺旋階段は、階段の幅以上（通常は階段の幅の２倍）の幅のスペースを必要とする。幅が不足するスペースに設置することが困難である。
【先行技術文献】
【特許文献】
【０００４】
【特許文献１】特開平１０−１４８０２２号公報
【特許文献２】特開２０１９−１２４１０４号公報
【発明の概要】
【発明が解決しようとする課題】
【０００５】
本発明は、直線状の直階段を設ける長さが不足し、かつ、階段の幅の２倍の幅を有さないスペースに設置して、階段として機能する階段装置を提供することを課題とする。
【課題を解決するための手段】
【０００６】
本発明の階段装置は、
下層床と折返し床の間の下方空間及び折返し床と上層床との間の上方空間のいずれか一方に配される階段本体と、
前記階段本体を回動させて前記下方空間と前記上方空間との間で移動させるための回動軸とを備え、
前記階段本体は、前記下方空間に配される状態と前記上方空間に配される状態とにおいて、平面視において同一箇所に配されることを特徴とする。
【０００７】
この特徴によれば、階段本体を下方空間と上方空間とに移動して使用することで、直階段の半分の長さ、直階段と同じ幅のスペースのみで、階段装置を階段として使用することができる。
【０００８】
本発明の階段装置は、
前記階段本体は、前記下方空間に配される状態と前記上方空間に配される状態とにおいて、上下反転して配されることを特徴とする。
【０００９】
この特徴によれば、下方空間に配される状態と前記上方空間に配される状態のいずれにおいても、後述のように、蹴上部と踏板部を設けることができる。
【００１０】
本発明の階段装置は、
前記階段本体の階段部分は、垂直方向に延びる蹴上部と、前記蹴上部を被覆して前記蹴上部の両側に水平方向に延びる踏板部とを有することを特徴とする。
【００１１】
この特徴によれば、蹴上部と踏板部を有し、使いやすい階段となる。
【００１２】
本発明の階段装置は、
前記階段本体に係合して、前記階段本体の回動を係止する支持部材を備え、
前記階段本体は、前記支持部材が嵌入される溝部を備え、
前記支持部材は、前記階段本体の回動経路の外の軸を中心に移動して、前記階段本体の回動を係止しない非干渉状態と、一部が前記階段本体の回動経路の内に入り前記溝部に挿入されて前記階段本体の回動を係止する干渉状態とを有することを特徴とする。
【００１３】
この特徴によれば、支持部材によって階段本体を係止し、安定して使用することができる。
【００１４】
本発明の階段装置は、
前記階段本体は、使用者が前記回動軸を中心に前記階段本体を移動させるための握り棒を備えることを特徴とする。
【００１５】
この特徴によれば、握り棒を把持することで、階段本体を容易に移動することができる。
【発明の効果】
【００１６】
本発明によれば、直線状の直階段を設ける長さが不足し、かつ、階段の幅の２倍の幅を有さないスペースに設置して、階段として機能する階段装置を提供することができる。
【図面の簡単な説明】
【００１７】
【図１】図１は、階段装置の構成を示す図である。（実施例１）
【図２】図２は、階段装置の構成を示す側面図である。（実施例１）
【図３】図３は、階段装置の配置を示す図である。（実施例１）
【図４】図４は、踏板部と蹴上部の構造を示す図である。（実施例１）
【図５】図５は、支持部材の動作を示す図である。（実施例１）
【図６】図６は、階段装置の構成を示す図である。（実施例２）
【図７】図７は、階段装置の構成を示す図である。（実施例３）
【図８】図８は、階段装置の構成を示す図である。（実施例４）
【発明を実施するための形態】
【実施例１】
【００１８】
図１は、階段装置の構成を示す図である。階段装置１は、階段本体２を備え、軸受け３及び支持部材４が設けられている。
【００１９】
階段本体２には、踏板部２１及び蹴上部２２が交互に設けられた階段部、側板２３、回動軸２４、握り棒２５及び溝部２６が備えられている。
【００２０】
側板２３は、階段部の側面の板であるが、突出部があり、突出部の先端に回動軸２４が配されている。
【００２１】
回動軸２４は、階段本体を回動させるための軸であり、壁面に設けられた軸受け３に把持されて、固定された位置に配されている。
【００２２】
握り棒２５は、階段本体２を移動させるために把持する棒である。
【００２３】
溝部２６は、支持部材４を嵌入させるための溝である。
【００２４】
支持部材４は、階段本体２に対して側板２３側の壁面に設けられ、壁面に固定された回転軸４１を中心に回転し、その回転によって移動する嵌入棒４２が溝部２６に嵌入される。
【００２５】
図１は、階段本体２が折返し床５と上層床７の間の上方空間７１に存する状態を示したものである。
【００２６】
図２は、階段装置の構成を示す側面図である。階段装置１を側面から見た図である。図２（Ａ）は、図１と同様に階段本体２が折返し床５と上層床７の間の上方空間７１に存する状態を示したものである。
【００２７】
図２（Ｂ）は、階段本体２が折返し床５と下層床６の間の下方空間６１に存する状態を示したものである。回動軸２４を中心に階段本体２を回動させて、図２（Ａ）の状態と図２（Ｂ）の状態との両方を実現することができる。
【００２８】
図３は、階段装置の配置を示す図である。図２（Ａ）の状態と図２（Ｂ）の状態とを１つの図で示したものである。図２（Ａ）と図２（Ｂ）における回動軸２４が同一の箇所に描かれている。
【００２９】
折返し床５の下方に下層床６があり、折返し床５の上方に上層床７がある。折返し床５と下層床６との間の空間が下方空間６１であり、折返し床５と上層床７との間の空間が上方空間７１である。階段本体２は、回動軸２４を中心に回動して、上方空間７１に配置されること（図に、符号２ａで示す）も下方空間６１に配置されること（図に、符号２ｂで示す）もできる。
【００３０】
使用者は、握り棒２５を把持して階段本体２を移動（回動軸２４を中心に回動）させ、図における２ａの配置と２ｂの配置とを切り替えることができる。
【００３１】
以上の階段本体２を移動に必要なスペースは、図示された向きには、回動軸を中心に階段本体２が２ａの配置から２ｂの配置に向けて反時計回りに回動できるスペース（握り棒２５が突出している分を除き、２ａの配置の及び２ｂの配置の階段本体２を外包する矩形（長辺が図において垂直方向、短辺が図において水平方向）のスペースで十分であり、図面鉛直方向には階段本体２の幅で十分である。直線状の直階段を設ける長さが不足し、かつ、階段の幅の２倍の幅を有さないスペース（直階段の半分の長さに握り棒２５が突出している分の長さを加えた長さ、階段装置２と同一の幅のスペース）に、階段装置１を設置し、階段として使用することができる。
【００３２】
使用者は、折返し床５と上層床７との間を移動する際には２ａの配置とし、折返し床５と下層床６との間を移動する際には２ｂの配置とし、握り棒２５を把持して２ａの配置と２ｂの配置とを切り替えることで、上層床７と下層床６との間を階段によって上下することができる。
【００３３】
図４は、踏板部と蹴上部の構造を示す図である。図４（ａ）は図３における２ａの配置、図４（ｂ）は図３における２ｂの配置を示す。
【００３４】
図４（ａ）において、踏板部２１ａが水平方向に延び、蹴上部２２ａを被覆している。蹴上部２２ａが踏板部２１ａを超えて上方に突出していない。図４（ｂ）においても、踏板部２１ｂが水平方向に延び、蹴上部２２ｂを被覆している。蹴上部２２ｂが踏板部２１ｂを超えて上方に突出していない。
【００３５】
これは、階段本体２が、２ａの配置と２ｂの配置とで上下反転しており、踏板部２１ａの裏面が蹴上部２２ｂを、蹴上部２２ａの裏面が踏板部２２ｂを構成していることによって実現される。
【００３６】
図５は、支持部材の動作を示す図である。図５（Ａ）には、階段本体２を回動軸２４を中心に回動させている状態、図５（Ｂ）には、階段本体２の回動を終えて階段本体２を係止ささている状態を示す。
【００３７】
支持部材４は、壁面に固定された回転軸４１を中心に回転する。回転軸４１は階段本体２の回動経路の外に設けられている。図５（Ａ）の状態では、支持部材４は、側板２３に押されて階段本体２の回動経路の外に位置し、階段本体２と干渉せず、階段本体２の回動を係止しない。
【００３８】
図５（Ｂ）の状態では、支持部材４の自重により、支持部材が回転して嵌入棒４２が溝部２６に挿入される。すなわち、嵌入棒４２（支持部材４の一部）が階段本体２の回動経路の内に移動する。その結果、嵌入棒４２が階段本体２（側板２３の溝部２６の周縁部）と干渉し、階段本体２の回動が係止される。これにより、階段本体２の位置が安定する。
【００３９】
支持部材４（嵌入棒４２）の位置を設計し、階段本体２の回動停止位置を定めることができる。これにより、階段本体２を使用に適した位置に係止することができる。
【００４０】
以上詳細に説明したように、本実施例の階段装置１は、階段本体２を回動軸２４の中心に回動させることで、階段の幅の２倍の幅を有さないスペースに、階段装置１を設置して階段として使用することができる。また、踏板部２１が水平方向に延び蹴上部２２ａを被覆している状態を階段装置１の回動によらずに保つことができる。さらに、支持部材４によって、階段本体２の位置を安定させることができる。
【実施例２】
【００４１】
本実施例は、実施例１に示した階段装置１に微小な変更を加えるものである。以下に説明する
相違点として説明する箇所を除き、実施例１と同様であり、詳細な説明を省略する。
【００４２】
図６は、階段装置の構成を示す図である。回動軸２４に対して、階段本体２の逆側に釣合錘８が設けられている。回動軸２４周りには階段本体２の重量によって回転モーメントが発生するが、その回転モーメントを小さくして、回動軸２４の負荷を緩和し、階段本体２の配置を安定させるものである。
【００４３】
以上説明したように、本実施例の階段装置１は、釣合錘８によって、回転モーメントを小さくして、回動軸２４の負荷を緩和し、階段本体２の配置を安定させることができる。
【実施例３】
【００４４】
本実施例も、実施例１に示した階段装置１に微小な変更を加えるものである。以下に説明する
相違点として説明する箇所を除き、実施例１と同様であり、詳細な説明を省略する。なお、かかる変更は、実施例２に示した階段装置１にも適用できる。
【００４５】
図７は、階段装置の構成を示す図である。階段本体２の形状が実施例１と相違し、実施例１では鉛直に立っていた蹴上部２２が、斜めになっている。かかる形状であっても、階段本体２を回動軸２４を中心に回動して、上方空間７１に配置すること（図３に、符号２ａで示す状態、本図と同様）と、下方空間６１に配置すること（図３に、符号２ｂで示す状態）と、両方の状態を実現できる。
【００４６】
ここで、２つの状態を変換する時に階段本体２を回動軸２４を中心に回動させる角度が実施例１では９０度であるが、本実施例ではそれよりも大きい。その角度に合わせて、回動軸２４の位置を設計する。
【００４７】
なお、図では鈍角の蹴上部２２の踏板部２１に対する角度を鋭角としてもよい。その場合には、階段本体２を回動軸２４を中心に回動させる角度は９０度よりも小さなものとなる。
【００４８】
以上説明したように、本実施例の階段装置１は、蹴上部２２の踏板部２１に対する角度を調整して、使用者の嗜好に合わせた意匠性を持たせることができる。
【実施例４】
【００４９】
本実施例も、実施例１に示した階段装置１に微小な変更を加えるものである。以下に説明する
相違点として説明する箇所を除き、実施例１と同様であり、詳細な説明を省略する。なお、かかる変更は、実施例２及び３に示した階段装置１にも適用できる。
【００５０】
図８は、階段装置の構成を示す図である。回動軸２４が、折返し床５の近傍に設けられている。回動軸２４に繋がる側板２３をコンパクトな構成とすることができる。かかる構成であっても、階段本体２を回動させて、下方空間６１及び上方空間７１の両方に配置することができる。
【００５１】
ここで、階段本体２は、下方空間６１に配置される場合と上方空間７１に配置される場合とで上下反転しない。踏板部２１と蹴上部２２を実施例１と同様に構成すると、いずれか一方の場合に蹴上部２２が踏板部２１上方に突起してしまう。この問題を回避するため、踏板部（一方の状態で踏板部となり他方の状態で蹴上部となる）を蹴上部の両側に延ばさず片側のみに延ばすこととなる。
【００５２】
以  上説明したように、本実施例の階段装置１は、。回動軸２４を折返し床５の近傍に設けることだ、側板２３をコンパクトな構成とすることができる。ただし、踏板部２１と蹴上部２２との構造には制約があり、これに留意する必要がある。
【産業上の利用可能性】
【００５３】
直線状の直階段を設ける長さが不足し、かつ、階段の幅の２倍の幅を有さないスペースに設置して、階段として機能する階段装置である。多くの建設業者による利用が考えられる。
【符号の説明】
【００５４】
１      階段装置
２      階段本体
２１    踏板部
２２    蹴上部
２３    側板
２４    回動軸 
２５    握り棒
２６    溝部
３      軸受け
４      支持部材
４１    回転軸
４２    嵌入棒
５      折返し床
６      下層床
６１    下方空間
７      上層床
７１    上方空間
８      釣合錘
【要約】      （修正有）【課題】直線状の直階段を設ける長さが不足し、かつ、階段の幅の２倍の幅を有さないスペースに設置して、階段として機能する階段装置を提供する。【解決手段】下層床６と折返し床５の間の下方空間６１及び折返し床５と上層床７との間の上方空間７１のいずれか一方に配される階段本体と、階段本体を回動させて下方空間６１と上方空間７１との間で移動させるための回動軸２４とを備え、階段本体は、下方空間６１に配される状態と上方空間７１に配される状態とにおいて、平面視において同一箇所に配される。【選択図】図３【図１】
0006712711.tif 000002
【図２】
0006712711.tif 000003
【図３】
0006712711.tif 000004
【図４】
0006712711.tif 000005
【図５】
0006712711.tif 000006
【図６】
0006712711.tif 000007
【図７】
0006712711.tif 000008
【図８】
0006712711.tif 000009